(57)【要約】【課題】集合場所へ集まった人の情報を簡易に登録する。【解決手段】参加者登録画面４００を表示した後、主催者が集合場所へ到着すると、周辺に居る人が所有している情報処理装置１０２から当該情報処理装置１０２を特定するためのＰＩＮ＿ＩＤを取得し、当該ＰＩＮ＿ＩＤに該当するユーザの情報を取得する。そして、ユーザの情報を参加者情報表示欄５０４へ表示し、主催者が登録ボタン５０６を押下すると、参加者に関する情報を参加者情報マスタへ登録する。【選択図】図３
2019028771.tif 000002
【特許請求の範囲】
【請求項１】
ユーザの情報を登録する情報処理装置であって、
位置情報の登録を受付ける位置受付手段と、
前記位置受付手段によって受付けた位置情報にかかる位置にいるとき、他の情報処理装置から特定されるユーザに関する情報を当該他の情報処理装置から受付けるユーザ受付手段と、
前記ユーザ受付手段によって受付けたユーザに関する情報を登録する登録手段と、
を備えたことを特徴とする情報処理装置。
【請求項２】
前記ユーザ受付手段によって受付けたユーザに関する情報を表示する表示手段と、
前記表示手段により表示されたユーザに関する情報に対して選択を受付ける選択受付手段と、
を備え、
前記登録手段は、前記選択受付手段によって受付けたユーザに関する情報を登録することを特徴とする請求項１に記載の情報処理装置。
【請求項３】
前記ユーザ受付手段は、前記位置受付手段によって受付けた位置と同じ位置の登録がなされた他の情報処理装置から特定されるユーザに関する情報を当該他の情報処理装置から受付けることを特徴とする請求項１または２に記載の情報処理装置。
【請求項４】
会への参加指示を受付ける指示受付手段を備え、
前記ユーザ受付は、前記指示受付手段によって参加指示を受付けたユーザの情報処理装置から特定されるユーザに関する情報を当該他の情報処理装置から受付けることを特徴とする請求項１乃至３の何れか１項に記載の情報処理装置。
【請求項５】
ユーザの情報を登録する情報処理装置の制御方法であって、
位置情報の登録を受付ける位置受付ステップと、
前記位置受付ステップによって受付けた位置情報にかかる位置にいるとき、他の情報処理装置から特定されるユーザに関する情報を当該他の情報処理装置から受付けるユーザ受付ステップと、
前記ユーザ受付ステップによって受付けたユーザに関する情報を登録する登録ステップと、
を実行することを特徴とする情報処理装置の制御方法。
【請求項６】
ユーザの情報を登録する情報処理装置で読取実行可能なプログラムであって、
前記情報処理装置を、
位置情報の登録を受付ける位置受付手段と、
前記位置受付手段によって受付けた位置情報にかかる位置にいるとき、他の情報処理装置から特定されるユーザに関する情報を当該他の情報処理装置から受付けるユーザ受付手段と、
前記ユーザ受付手段によって受付けたユーザに関する情報を登録する登録手段と、
して機能させるためのプログラム。
【発明の詳細な説明】
【技術分野】
【０００１】
本発明は、任意の集会へ出席した者の登録方法に関する。
【背景技術】
【０００２】
従来、故人の供養のため、４９日、１周忌、３回忌等に行われる法事において、家族や親戚、故人の友人等でもって、故人の墓地や寺院、納骨堂へ集まって参拝を行う風習がある。
【０００３】
しかしながら、共同墓地や納骨堂では、一区画の狭さや保管スペースに限りがあることから、故人の想い出の品を備えることが難しいといった問題がある。
【０００４】
そこで、墓地等にプレートを備え付け、プレートに記されたＱＲコード（登録商標）をスマートフォーンで読み取ると、故人に関する情報をスマートフォーンへ表示する発明が開示されている（例えば、特許文献１参照）。
【先行技術文献】
【特許文献】
【０００５】
【特許文献１】特開２０１５−１６５８５６号公報
【発明の概要】
【発明が解決しようとする課題】
【０００６】
法事に関しては、主催者が参拝してくれた人達に対して、お礼をしたり、次回の法事への参加連絡をする等を行うことから、参拝者の情報を記録しておくことが好ましいが、特許文献１に記載の発明では、参拝者を記録することについては、記載や示唆はない。
【０００７】
そこで、本発明では、集合場所へ集まった人の情報を簡易に記録することが可能な情報処理装置、制御方法、及びプログラムを提供することを目的とする。
【課題を解決するための手段】
【０００８】
上記目的を達成するための本発明は、ユーザの情報を登録する情報処理装置であって、位置情報の登録を受付ける位置受付手段と、前記位置受付手段によって受付けた位置情報にかかる位置にいるとき、他の情報処理装置から特定されるユーザに関する情報を当該他の情報処理装置から受付けるユーザ受付手段と、前記ユーザ受付手段によって受付けたユーザに関する情報を登録する登録手段と、を備えたことを特徴とする。
【発明の効果】
【０００９】
本発明により、集合場所へ集まった人の情報を簡易に記録することができる、といった効果を奏する。
【図面の簡単な説明】
【００１０】
【図１】情報処理システムの構成を示す構成図である。
【図２】情報処理装置、及びサーバのハードウェア構成を示すブロック図である。
【図３】法事等の開催する会についての情報を登録する処理を示すフローチャートである。
【図４】メニュー画面の構成を示す構成図である。
【図５】入力画面の構成を示す構成図である。
【図６】参加者登録画面の構成を示す構成図である。
【図７】各テーブルの構成を示す構成図である。
【図８】参加者が、目的地を検索したり、会への参加を指示する処理を示すフローチャートである。
【図９】目的地検索画面の構成を示す構成図である。
【図１０】目的地登録画面の構成を示す構成図である。
【図１１】誘導画面の構成を示す構成図である。
【図１２】誘導画面の構成を示す構成図である。
【図１３】誘導画面の構成を示す構成図である。
【図１４】会一覧画面の構成を示す構成図である。
【図１５】会詳細画面の構成を示す構成図である。
【図１６】参加者登録画面の構成を示す構成図である。
【図１７】所在確認画面の構成を示す構成図である。
【図１８】各テーブルの構成を示す構成図である。
【発明を実施するための形態】
【００１１】
以下、図面を参照して、本発明の実施形態を詳細に説明する
【００１２】
［第１の実施形態］
まずは、第１の実施形態について説明する。
【００１３】
図１は、法事等の会に関する情報を管理する情報処理システム１００のシステム構成図である。
【００１４】
情報処理システム１００は、法事等の会の主催者や参加者が所有する情報処理装置１０２、法事等の会に関する情報を管理するサーバ１０４を備えており、情報処理装置１０２とサーバ１０４とは、ネットワーク１０６（インターネット等）を介して接続されている。
【００１５】
図２には、図１に示した情報処理装置１０２、及びサーバ１０４に適用可能な情報処理装置のハードウェア構成を示すブロック図である。
【００１６】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００１７】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００１８】
また、２０５は入力コントローラで、キーボード（ＫＢ）２０９や不図示のマウス等のポインティングデバイス等からの入力を制御する。２０６はビデオコントローラで、ＣＲＴディスプレイ（ＣＲＴ）２１０等の表示器への表示を制御する。
【００１９】
なお、図２では、ＣＲＴ２１０と記載しているが、表示器はＣＲＴだけでなく、液晶ディスプレイ等の他の表示器であってもよい。これらは必要に応じて管理者が使用するものである。
【００２０】
２０７はメモリコントローラで、ブートプログラム、各種のアプリケーション、フォントデータ、ユーザファイル、編集ファイル、各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２１】
２０８は通信Ｉ／Ｆコントローラで、ネットワーク（例えば、図１に示したネットワーク１０６）を介して外部機器と接続・通信するものであり、ネットワークでの通信制御処理を実行する。例えば、ＴＣＰ／ＩＰを用いた通信等が可能である。
【００２２】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００２３】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
【００２４】
次に、図３に示すフローチャートを用いて、法事等の開催する会についての情報を登録する処理について説明する。この登録する処理については、主催者が基本的に登録する。
【００２５】
ステップＳ１００では、情報処理装置１０２は、ユーザからの起動指示に従って、ログイン画面（不図示）を表示し、ログイン画面（不図示）へ入力されたユーザＩＤやパスワード等のユーザ情報を受付ける。
【００２６】
ステップＳ１０２では、情報処理装置１０２は、ステップＳ１００において受付けたユーザ情報をサーバ１０４へ送信し、サーバ１０４では、受信したユーザ情報を用いて認証処理を行う。
【００２７】
認証処理の一例としては、受信したユーザ情報に含まれるユーザＩＤとパスワードが、ユーザマスタ（図７の最上段）に存在するか否かによって処理を行う。
【００２８】
図７の最上段には、ユーザマスタの構成が示されており、情報処理装置１０２を一意に識別するためのＰＩＮ＿ＩＤ、ユーザを一意に識別するためのユーザＩＤ、ユーザのパスワード、ユーザの氏名、及びユーザのメールアドレスを含む構成を備えている。
【００２９】
尚、ＰＩＮ＿ＩＤは、情報処理装置１０２を一意に識別するの製造番号等でも良いし、本システムの利用にあたりユーザマスタへ登録する際に、ユーザマスタのレコードが一意となるように発番されるＩＤで会っても良い。
【００３０】
従って、認証処理においては、受信しユーザＩＤとパスワードが、ユーザマスタのユーザＩＤとパスワードと一致するレコードが存在する場合は、認証処理を成功とみなして、ステップＳ１０４へ処理を進め、レコードが存在しない場合は、認証処理が失敗とみなされ、ステップＳ１００へ処理を戻す。
【００３１】
ステップＳ１０４では、情報処理装置１０２は、メニュー画面３００（図４参照）を表示する。
【００３２】
図４には、メニュー画面３００の構成が示されており、メニュー画面３００は、開催予定情報を入力する際に押下するためのリンク３０２、参加者の情報を登録する際に押下するためのリンク３０４、会の一覧情報を表示する際に押下するためのリンク３０６、及び集合場所等の目的地までの経路を検索する際に押下するためのリンク３０８を備えている。
【００３３】
ステップＳ１０６では、情報処理装置１０２は、メニュー画面３００のリンク３０２が選択されたか、リンク３０４が選択されたかを判定し、リンク３０２が選択されたと判定した場合は、ステップＳ１０６へ処理を進め、リンク３０４が選択されたと判定した場合は、ステップＳ１１４へ処理を進める。
【００３４】
ステップＳ１０８では、情報処理装置１０２は、入力画面４００（図６参照）を表示する。
【００３５】
図５には、入力画面４００の構成が示されており、入力画面４００は、開催予定の会についての情報を登録するための画面であり、開催する会の題目を入力するための会欄４０２、会の開催日付を入力するための日付欄４０４、会の集合時間を入力するための時間４０６、及び会の集合場所を入力するための集合場所欄４０８を備えている。
【００３６】
また、入力画面４００は、これらの入力欄に対して入力された情報を登録する際に押下するための登録ボタン４１０、及び登録を行うことなく入力画面４００を閉じる際に押下するためのキャンセルボタン４１２を備えている。
【００３７】
ステップＳ１１０では、情報処理装置１０２は、登録ボタン４１０が押下されたことを検知して、各入力欄に入力された情報をサーバ１０４へ送信する。
【００３８】
サーバ１０４は、送信された情報を会マスタ（図７の最上段から２段目）へ登録する。
【００３９】
図７には、会マスタの構成が示されており、会マスタは、会を一意に識別するための会ＩＤ、会の題目を示す名称、会の開催年月日、会の集合時間、会の集合場所、及び集合場所の経度緯度等の位置情報を示す集合場所位置を含んで構成されている。
【００４０】
サーバ１０４は会マスタへ受信した情報を登録する際に、登録されているレコードが一意となるようにＩＤを発行し、受信した情報の会欄４０２、日付欄４０４、時間４０６、及び集合場所欄４０８の順に、会マスタの名称、開催年月日、集合時間、及び集合場所へ登録する。
【００４１】
会ＩＤには、発行したＩＤを登録し、集合場所位置については、既存技術を適用して、集合場所に関する情報を用いて地図情報から当該集合場所の位置を求めて登録を行う。
【００４２】
ステップＳ１１２では、情報処理装置１０２は、主催者に関する参加情報を参加情報マスタ（図７の最下段）へ登録する。
【００４３】
図７の最下段には、参加情報マスタの構成が示されており、参加情報マスタは、会ＩＤ、ＰＩＮ＿ＩＤ、会へ参加する参加者の氏名、参加情報を登録した時間を示す登録時間、及び参加者が主催者であるか否かを示す主催者フラグを備えて構成されている。
【００４４】
本ステップでは、ステップＳ１０６において発行した会ＩＤと情報処理装置１０２のＰＩＮ＿ＩＤとを対応付けて、主催者のユーザ名、登録する時間、主催者フラグをＯＮとして、参加情報マスタへ登録を行う。
【００４５】
ステップＳ１１４では、情報処理装置１０２は、参加者登録画面５００（図６参照）を表示する。
【００４６】
図６には、参加者登録画面５００の構成が示されており、参加者登録画面５００は、会に関する情報を表示する会情報表示欄５０２、及び集合場所付近に居る参加者に関する情報を表示する参加者情報表示欄５０４を備えている。
【００４７】
また、参加者登録画面５００は、参加者情報表示欄に表示されている参加者に関する情報を登録する際に押下するための登録ボタン５０６、及び参加者に関する情報を登録することなく参加者登録画面５００を閉じる際に押下するためのキャンセルボタン５０８を備えている。
【００４８】
ステップＳ１１６では、情報処理装置１０２は、自身に備えたＧＰＳ機能により、集合場所へ到着したか否かを判定し、到着したと判定した場合は、ステップＳ１１８へ処理を進める。
【００４９】
本ステップでは、情報処理装置１０２のＰＩＮ＿ＩＤを有するレコードを参加情報マスタから取得し、取得したレコードの会ＩＤを有するレコードを会マスタから取得する。
【００５０】
会マスタから取得したレコードのうち、本日の日付と開催年月日とが一致するレコードの集合場所位置を取得する。
【００５１】
そして、ＧＰＳ機能により情報処理装置１０２の位置情報を取得し、この位置情報が集合場所位置あるいはその付近に位置する場合、到着したと判定する。
【００５２】
尚、集合場所については、会を一覧できる画面から、本日開催する会を選択することで会マスタから集合場所が特定されるので、その集合場所位置を用いる態様でも良い。
【００５３】
ステップＳ１１８では、情報処理装置１０２は、近辺にいる人の情報処理装置１０２と通信を確立し、ＰＩＮ＿ＩＤを取得する。
【００５４】
ステップＳ１２０では、情報処理装置１０２は、ステップＳ１１８において取得したＰＩＮ＿ＩＤを有するレコードをユーザマスタから取得し、取得したレコードの氏名を参加者情報表示欄５０４へ表示する。
【００５５】
ステップＳ１２２では、情報処理装置１０２は、登録ボタン５０６が押下されたか否かを判定し、押下されたと判定した場合は、ステップＳ１２４へ処理を進め、押下されたと判定しない場合は、ステップＳ１１８へ処理を戻す。
【００５６】
ステップＳ１２４では、情報処理装置１０２は、参加者情報表示欄５０４に表示されている参加者に関する情報を参加情報マスタへ登録する。
【００５７】
会ＩＤは、ステップＳ１１６で取得した会ＩＤを登録し、ＰＩＮ＿ＩＤには、ステップＳ１１８において、各情報処理装置１０２から取得したＰＩＮ＿ＩＤを登録し、氏名にはステップＳ１２０で取得したＰＩＮ＿ＩＤに対応する氏名を登録し、登録時間、主催者フラグにＯＦＦを登録する。
【００５８】
尚、参加者情報表示欄５０４に表示されている参加者に関する情報は、タップ操作等によって選択状態とし、選択状態である参加者情報のみを登録しても良い
【００５９】
［第２の実施形態］
次に、本発明に係る第２の実施形態について説明を行う。第１の実施形態では、集合場所付近に居る人に関する情報を全て取得していたが、この場合、会には関係のない人の情報をも取得してしまうため、第２の実施形態では、余計な人に関する情報を取得しない態様を備える。
【００６０】
尚、第１の実施形態と同様な構成及び処理を行う部分については、同一の符号を用いて説明を省略し、異なる部分についてのみ、説明を行う。
【００６１】
図８に示すフローチャートには、参加者が、目的地を検索したり、会への参加を指示する処理について示されている。
【００６２】
ステップＳ２００では、情報処理装置１０２は、メニュー画面３００のリンク３０８が押下されたか否かを判定し、押下されたと判定した場合は、ステップＳ２０２へ処理を進め、リンク３０６が押下されたと判定した場合は、ステップＳ２１２へ処理を進める。
【００６３】
ステップＳ２０２では、情報処理装置１０２は、目的地検索画面６００（図９参照）を表示する。
【００６４】
図９には、目的地検索画面６００の構成が示されており、目的地検索画面６００は、目的地を入力するための寺名欄６０２、目的地の住所を入力するための住所欄６０４、及び俗名を入力するための俗名欄６０６を備えている。
【００６５】
目的地検索画面６００は、各入力欄に入力された情報を用いて、目的地までの経路検索を行う際に押下するための検索ボタン６０８、及び経路検索を行うことなく目的地検索画面６００を閉じる際に押下するためのキャンセルボタン６１０を備えている。
【００６６】
ステップＳ２０４では、情報処理装置１０２は、検索ボタン６０８が押下されたか否かを判定し、押下されたと判定した場合は、ステップＳ２０６へ処理を進め、キャンセルボタン６１０が押下されたと判定した場合は、ステップＳ１０４へ処理を戻す。
【００６７】
ステップＳ２０６では、情報処理装置１０２は、寺名欄６０２、住所欄６０４、あるいは俗名欄６０６に入力された情報を用いて墓地マスタ（図１８の上段）から目的地を検索する。
【００６８】
図１８には、墓地マスタの構成が示されており、墓地マスタは、寺を一意に識別するための寺院ＩＤ、墓を一意に識別するための墓地ＩＤ、寺の名称を示す寺院名、墓の位置（緯度経度情報）を示す墓地位置、墓に埋葬された故人の俗名、墓に埋葬された故人の戒名、墓に埋葬された故人の享年、墓に埋葬された故人の亡年を含んで構成されている。
【００６９】
本ステップでは、各入力欄に入力された情報を有するレコードを墓地マスタ（図１８の上段）より取得し、取得したレコードの墓地位置から目的地を特定する。
【００７０】
そして、検索結果として得られた目的地を目的地登録画面７００（図１０参照）へ表示する。
【００７１】
図１０には、目的地登録画面７００の構成が示されており、目的地登録画面７００は、目的地を示すマーカ７０２、マーカ７０２から特定される位置を目的地として確定する際に押下するための登録ボタン７０４、目的地を確定せずに、目的地登録画面７００を閉じる際に押下するためのキャンセルボタン７０６が備えられている。
【００７２】
ステップＳ２０８では、情報処理装置１０２は、登録ボタン７０４が押下されたことを検知すると、目的地に関して設定を行ったことをユーザ情報取込対象マスタ（図１８下段）へ登録する。
【００７３】
図１８には、ユーザ情報取込対象マスタの構成が示されており、ユーザ情報取込対象マスタは、ＰＩＮ＿ＩＤ、会ＩＤ、参加者が会への参加を指示（詳細後述）した際に設定される参加設定、及び目的地検索画面６００で目的地を検索し、目的地登録画面７００によって目的地を設定した場合に設定される目的地設定を含んで構成されている。
【００７４】
本ステップでは、登録ボタン７０４が押下された情報処理装置１０２のＰＩＮ＿ＩＤと目的地に関する情報（位置情報）をユーザ情報取込対象マスタへ登録する。
【００７５】
ステップＳ２１０では、情報処理装置１０２は、既存の経路検索を行う技術を適用して、目的地への経路のナビゲーションを開始する。
【００７６】
例えば、霊園の入り口付近であれば、図１１に示す誘導画面８００に付近の映像が表示され、参加者は方向指示マーカ８０２に沿って進行する。
【００７７】
そして、参加者は経路を進むと、図１２に示す誘導画面８００のように付近の映像が表示され、目的地へ到着すると、図１３に示す誘導画面８００のように墓地の映像が表示されるとともに、墓地に埋葬された故人の戒名や享年、亡年等が表示される。
【００７８】
ステップＳ２１２では、情報処理装置１０２は、会一覧画面９００（図１４参照）を表示する。
【００７９】
図１４には、会一覧画面９００の構成が示されており、会一覧画面９００は、これから開催される会の一覧を表示する会一覧表示領域９０２を備えている。
【００８０】
これらは、会マスタから現在の日付以降の開催年月日を備えたレコードを取得して表示される。
【００８１】
ステップＳ２１４では、情報処理装置１０２は、会一覧画面９００の会一覧表示領域９０２に表示されているレコードが選択されると、当該レコードの会の詳細情報を表示する会詳細画面１０００（図１５参照）を表示する。
【００８２】
図１５には、会詳細画面１０００の構成が示されており、会詳細画面１０００は、会の詳細情報を表示するための会詳細情報表示領域１００２、その会への参加を指示するための参加ボタン１００４、会への参加を指示することなく会詳細画面１０００を閉じる際に押下するためのキャンセルボタン１００６を備えている。
【００８３】
ステップＳ２１６では、情報処理装置１０２は、参加ボタン１００４が押下されたか否かを判定し、押下されたと判定した場合は、ステップＳ２１８へ処理を進め、押下されたと判定しない場合は、ステップＳ１０４へ処理を進める。
【００８４】
ステップＳ２１８では、情報処理装置１０２は、参加の指示に関する情報をユーザ情報取込対象マスタへ登録する。
【００８５】
この場合、参加ボタン１００４が押下された情報処理装置１０２のＰＩＮ＿ＩＤと会詳細情報表示領域１００２に表示された会の会ＩＤと参加する旨を示す情報（フラグ等）とをユーザ情報取込対象マスタへ登録する。
【００８６】
尚、ステップＳ２１２からステップＳ２１８に関する処理について、主催者が入力画面４００から参加者のユーザ情報を入力することによって、そのユーザに対する参加の指示に関する情報をユーザ情報取込対象マスタへ登録しても良い。
【００８７】
そして、図３に示すフローチャートの処理におけるステップＳ１１８では、主催者の情報処理装置１０２は、近辺にいる人の情報処理装置１０２から取得したＰＩＮ＿ＩＤを有するレコードであって、参加設定あるいは目的地設定に設定がなされた情報処理装置１０２のみ、参加者の氏名を取得することが可能である。
【００８８】
また、図１６に示すように、参加者登録画面５００の参加者情報表示欄５０４には、会に対して参加設定を行った参加者をユーザ情報取込対象マスタから特定して、その参加者の氏名を表示しておき、近辺にいる情報処理装置１０２に対しては、参加を示す旨を表示し、近辺にいない場合は、未着として表示しても良い。
【００８９】
さらに、近辺にいない参加者がいる場合、所在ボタン５１０を押下すると、近辺に居ない参加者を探索し、その参加者の位置情報を情報処理装置１０２から取得して、図１７に示すように所在確認画面１１００へ、その位置情報を表示する。
【００９０】
図１７には、所在確認画面１１００の構成が示されており、所在確認画面１１００は、参加者の位置を表示する所在位置表示欄１１０２、参加者の位置を示すマーカ１１０４、１１０６を備えている。
【００９１】
以上、本発明によれば、集合場所へ集まった人の情報を簡易に記録することができる。
【００９２】
尚、法事等の会を例として説明を行ったが、このような会に限らず、集合場所を決めて置き、その集合場所へ集まった参加者の情報を登録するようなケースであれば、何れも滝用可能であることは言うまでもない。
【００９３】
また、上述した各種データの構成及びその内容はこれに限定されるものではなく、用途や目的に応じて、様々な構成や内容で構成されることは言うまでもない。
【００９４】
以上、一実施形態について示したが、本発明は、例えば、方法、プログラムもしくは記録媒体等としての実施態様をとることが可能である。
【００９５】
また、本発明におけるプログラムは、図３及び図８に示すフローチャートの処理方法をコンピュータが実行可能なプログラムである。
【００９６】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００９７】
この場合、記録媒体から読み出されたプログラム自体が本発明の新規な機能を実現することになり、そのプログラムを記憶した記録媒体は本発明を構成することになる。
【００９８】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【００９９】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１００】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０１】
また、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１０２】
さらに、本発明を達成するためのプログラムをネットワーク上のサーバ、データベース等から通信プログラムによりダウンロードして読み出すことによって、そのシステムあるいは装置が、本発明の効果を享受することが可能となる。
【０１０３】
なお、上述した各実施形態およびその変形例を組み合わせた構成も全て本発明に含まれるものである。
【符号の説明】
【０１０４】
１００  情報処理システム
１０２  情報処理装置
１０４  サーバ
１０６  ネットワーク
２０１    ＣＰＵ
２０２    ＲＯＭ
２０３    ＲＡＭ
２０４    システムバス
２０５    入力コントローラ
２０６    ビデオコントローラ
２０７    メモリコントローラ
２０８    通信Ｉ／Ｆコントローラ
２０９    ＫＢ
２１０    ＣＲＴ
２１１    外部メモリ（ＨＤ／ＦＤ）
【図１】
2019028771.tif 000003
【図２】
2019028771.tif 000004
【図３】
2019028771.tif 000005
【図４】
2019028771.tif 000006
【図５】
2019028771.tif 000007
【図６】
2019028771.tif 000008
【図７】
2019028771.tif 000009
【図８】
2019028771.tif 000010
【図９】
2019028771.tif 000011
【図１０】
2019028771.tif 000012
【図１１】
2019028771.tif 000013
【図１２】
2019028771.tif 000014
【図１３】
2019028771.tif 000015
【図１４】
2019028771.tif 000016
【図１５】
2019028771.tif 000017
【図１６】
2019028771.tif 000018
【図１７】
2019028771.tif 000019
【図１８】
2019028771.tif 000020